(57)【要約】【課題】テレビカメラによる取材時に必要となる取材情報に欠落があった場合であっても、ＢＩＮファイルやクリップファイルの名称の作成が可能なファイル名設定方法を提供すること。【解決手段】撮像前に取材情報が登録されたかを検出させ、取材情報が登録されたことを検出した場合には、当該取材情報を読み出し、ＢＩＮファイル情報が含まれているかを検出する。ＢＩＮファイル情報が含まれていることを検出した場合には、当該ＢＩＮファイル情報をＢＩＮファイル名に設定し、含まれていないことを検出した場合には、日付情報をＢＩＮファイル名に設定するようにし、さらに、読み出された取材情報にクリップ情報が含まれているかを検出し、含まれていることを検出した場合には、当該クリップ情報をクリップ名として作成し、含まれていないことを検出した場合には、取材情報から日付情報を除いた情報を任意に選択してクリップ名を作成し、当該クリップ名に基づいてクリップファイル名を設定するようにした。【選択図】図１
2010288002.tif 000002
【特許請求の範囲】
【請求項１】
撮像機器によって撮像して得られるデータファイルを記録媒体に記録する際に設定される前記データファイルのファイル名設定方法であって、
前記撮像機器による撮像の前に当該撮像に関する取材情報が前記撮像機器に登録されていることを検出する取材情報検出ステップと、
前記取材情報検出ステップにより、前記取材情報が登録されていることを検出した場合には、前記取材情報を読み出す取材情報読み出しステップと、
前記取材情報読み出しステップによって読み出された前記取材情報にＢＩＮファイル情報が含まれているかを検出するＢＩＮファイル情報検出ステップと、
前記ＢＩＮファイル情報検出ステップにより、前記取材情報にＢＩＮファイル情報が含まれていることを検出した場合には、当該ＢＩＮファイル情報をＢＩＮファイル名に設定し、また、前記取材情報にＢＩＮファイル情報が含まれていないことを検出した場合には、前記取材情報から得られる日付情報をＢＩＮファイル名に設定するＢＩＮファイル名設定ステップと、
前記取材情報読み出しステップによって読み出された前記取材情報にクリップ情報が含まれているかを検出するクリップ情報検出ステップと、
前記クリップ情報検出ステップにより、前記取材情報にクリップ情報が含まれていることを検出した場合には、当該クリップ情報をクリップ名として作成し、また、前記取材情報にクリップ情報が含まれていないことを検出した場合には、読み出された前記取材情報から前記日付情報を除いた情報のうちから任意に選択して、クリップ名を作成するクリップ名作成ステップと、
前記クリップ名作成ステップにより作成されたクリップ名に基づいてクリップファイル名を設定するクリップファイル名設定ステップと、
を含んだことを特徴とするファイル名設定方法。
【請求項２】
前記クリップファイル名設定ステップは、前記クリップ名作成ステップにより作成されたクリップ名に前記撮像機器に設けられ予め定められた桁数のカウンターに設定されている数値を付加することでクリップファイル名を設定することを特徴とする請求項１記載のファイル名設定方法。
【請求項３】
前記クリップ情報は、２つの情報から構成されていることを特徴とする請求項１又は２記載のファイル名設定方法。
【発明の詳細な説明】
【技術分野】
【０００１】
本発明は、カムコーダ等の記録機能を有する撮像機器（テレビカメラ等）を用いて撮像することによって得られるデータファイルを記録媒体に記録する際に設定されるデータファイルのファイル名設定方法に関するものである。
【背景技術】
【０００２】
ニュース取材等での撮像に使用する撮像機器（テレビカメラ等）は、一般に撮像した映像信号を記録する記録媒体が取り付けられており、この記録媒体に映像信号や音声信号を記録する。記録媒体としては、従来は、テープ媒体を使用していたが、近年では、ハードディスクやＩＣメモリを使用するように技術が発展してきている。
【０００３】
また、撮像によって得られるデータの記録の仕方も、従来は、ＶＴＲに代表されるようなアナログ記録方式を用いていたが、記録媒体がハードディスクやＩＣメモリに変わったことにより、アナログからデジタルによる記録方式へと推移してきている。また、デジタルによる記録方式によって得られるデータは、コンピュータでも使用されるものであるため、一般的にデータファイルとして管理されている。
【０００４】
ところで、図７は、記録媒体であるハードディスクに記録されたデーファイルの一覧を示す一例であるが、これらは、ディレクトリツリー構造を採用しており、代表的なディレクトリ名をＢＩＮファイル（バイナリファイル）として定義（ＢＩＮ００１）し、さらに、そのディレクトリの下位層にクリップファイル（個々のデータファイル）が定義（ＣＬＩＰ０００１・・・）され、記録保存されている。なお、ディレクトリツリー構造は、コンピュータに用いられるＯＳによって異なる表示態様があることは広く知られている。
【０００５】
しかし、これらディレクトリツリー構造で表示されるデータファイルを管理し、編集する場合などに、そのファイルが何を対象として撮像したものなのか、また、どの場所で撮像したものかといった撮像対象（撮像テーマ）を認識することは極めて困難であり、一つ一つファイルの中身を確認しなければならないという欠点があった。
【０００６】
また、ノンリニア編集では、ハードディスクでよく用いられるディレクトリツリー構造を採用しているが、この場合、ディレクトリツリー構造におけるＢＩＮファイル（バイナリファイル）名と実際の撮像により得られる素材であるクリップファイル（個々のデータファイル）名でデータファイルのファイル名を管理することが一般的であるが、これを映像用等の編集機で表示するためには、文字の長さやファイルシステムの制限を受け、ファイル名を短くて分かりやすい名前に設定する必要があった。よって、素材の編集作業等が非常に煩雑なものになってしまっていた。
【０００７】
そこで、従来からファイル管理等の作業を容易にするために、種々の技術が開発されてきている。例えば、特許文献１には、テレビカメラによる撮像時の現在地に関する位置データと、予め記憶されている地図データとに基づいて、撮像位置に関する情報を取得し、当該撮像位置に関する情報を基に、ファイル名の名称を設定する方法に関する技術が開示されており、これによると、撮像者は、ファイル名からそのファイルの中身を想起することが容易になり、また、ファイル名から撮像位置等に基づくファイル管理及び編集作業が可能となるという効果が生じるとされている。
【０００８】
また、従来から、テレビカメラで取材をするときには、取材の管理情報（以下、取材情報とする。）を事前にテレビカメラの撮像処理を行う装置等に登録しておくが、この取材情報を撮像によって得られるデータファイルのファイル名の設定に利用するといったような技術が用いられてきている。また、そのほか、カメラマン等の撮像者がテレビカメラの液晶表示部等に表示された取材情報を選択したときに、当該選択された取材情報（カメラの素材情報として）を撮像によって得られるデータファイルに付加することで、当該データファイルの内容を知ることを容易にし、その結果、当該データファイルの管理や編集作業の容易化が図るといったような技術も用いられている。なお、取材情報は、後に撮像されたデータを編集する際に一般的に用いられる情報を意味している。
【先行技術文献】
【特許文献】
【０００９】
【特許文献１】特開２００２−３５２２１８
【発明の概要】
【発明が解決しようとする課題】
【００１０】
しかしながら、特許文献１に記載されている技術では、撮像場所（取材場所）の位置は、視覚的に認識しやすいが、いまだ、ファイルの中身が何を対象としたものであったのか分かりにくく、管理がやりにくいという指摘があった。また、取材情報をファイル名の設定に利用する場合であっても、事前に登録されている取材情報が、常にファイル名の設定、つまり、ＢＩＮファイルの名称やクリップファイルの名称を作成するのに必要な項目（情報）が含まれているとは限らず、また、少なからず項目が欠落している場合も見受けられている。そのため、項目（情報）が欠落している場合は、撮像者等が自らファイル名等を設定しなくてはならず、撮像したデータファイルの管理作業が煩雑になってしまうという問題も指摘されていた。
【００１１】
本発明は、上述の問題を解決するためになされたもので、テレビカメラ等の撮像機器を使用して取材するときに必要となる取材情報を利用し、かつ、取材情報に欠落があった場合であっても、ＢＩＮファイルやクリップファイルの名称の作成を自動的に行うことを可能とするファイル名設定方法を提供することにある。
【課題を解決するための手段】
【００１２】
上述の課題に対応するため、本発明は、以下の技術的手段を講じている。
即ち、請求項１記載の発明は、撮像機器によって撮像して得られるデータファイルを記録媒体に記録する際に設定される前記データファイルのファイル名設定方法であって、  前記撮像機器による撮像の前に当該撮像に関する取材情報が前記撮像機器に登録されていることを検出する取材情報検出ステップと、前記取材情報検出ステップにより、前記取材情報が登録されていることを検出した場合には、前記取材情報を読み出す取材情報読み出しステップと、前記取材情報読み出しステップによって読み出された前記取材情報にＢＩＮファイル情報が含まれているかを検出するＢＩＮファイル情報検出ステップと、前記ＢＩＮファイル情報検出ステップにより、前記取材情報にＢＩＮファイル情報が含まれていることを検出した場合には、当該ＢＩＮファイル情報をＢＩＮファイル名に設定し、また、前記取材情報にＢＩＮファイル情報が含まれていないことを検出した場合には、前記取材情報から得られる日付情報をＢＩＮファイル名に設定するＢＩＮファイル名設定ステップと、前記取材情報読み出しステップによって読み出された前記取材情報にクリップ情報が含まれているかを検出するクリップ情報検出ステップと、前記クリップ情報検出ステップにより、前記取材情報にクリップ情報が含まれていることを検出した場合には、当該クリップ情報をクリップ名として作成し、また、前記取材情報にクリップ情報が含まれていないことを検出した場合には、読み出された前記取材情報から前記日付情報を除いた情報のうちから任意に選択して、クリップ名を作成するクリップ名作成ステップと、前記クリップ名作成ステップにより作成されたクリップ名に基づいてクリップファイル名を設定するクリップファイル名設定ステップと、を含んだことを特徴とするファイル名設定方法である。
【００１３】
また、請求項２記載の発明は、請求項１記載のファイル名設定方法であって、前記クリップファイル名設定ステップは、前記クリップ名作成ステップにより作成されたクリップ名に前記撮像機器に設けられ予め定められた桁数のカウンターに設定されている数値を付加することでクリップファイル名を設定することを特徴としている。また、請求項３記載の発明は、請求項１又は２記載のファイル名設定方法であって、前記クリップ情報は、２つの情報から構成されていること特徴としている。
【発明の効果】
【００１４】
本発明によると、記録媒体に記録するデータファイルにＢＩＮファイル名とクリップファイル名が確実に設定されるので、データの編集時に使用する素材の判別が分かりやすくなり、編集の効率化が図れる。また、データファイル名自体も簡単で分かりやすくなるため、素材の管理も極めて楽になる。さらに、取材情報にＢＩＮファイル情報や、クリップ情報が含まれていなくても、他の情報をデータファイル名に設定できるようになっているので、取材情報の一部に欠落等があっても、データファイル名を作成し、設定することができる。また、クリップファイル名を２つのクリップ情報に基づいて構成することも出来るようになっているので、より一層、データファイルの内容が認識しやすくなり、その結果、データファイルの管理や編集作業がしやすくなる。
【図面の簡単な説明】
【００１５】
【図１】本発明に係るファイル名設定方法の簡略なフローチャートである。
【図２】本発明に係るファイル名設定方法の第１の実施形態におけるフローチャートであって、クリップ名を作成するステップまでを示したものである。
【図３】本発明に係るファイル名設定方法の第１の実施形態におけるフローチャートであって、クリップファイル名の設定から動作終了までを示したものである。
【図４】本発明に係るファイル名設定方法の実施形態において用いる取材情報の一例を示したもので、（ａ）は、“ＰＲＯＧＲＡＭ”、“ＳＣＥＮＥ”、“ＢＩＮＮＡＭＥ”の項目に記載があるもの、（ｂ）は、“ＰＲＯＧＲＡＭ”、“ＳＣＥＮＥ”の項目に記載があって、“ＢＩＮＮＡＭＥ”の項目に記載がないもの、（ｃ）は、“ＰＲＯＧＲＡＭ”、“ＢＩＮＮＡＭＥ”の項目に記載があって、“ＳＣＥＮＥ”の項目に記載がないもの、（ｄ）は、“ＳＣＥＮＥ”、“ＢＩＮＮＡＭＥ”の項目に記載があって、“ＰＲＯＧＲＡＭ”の項目に記載がないもの、（ｅ）は、“ＢＩＮＮＡＭＥ”の項目に記載があって、“ＰＲＯＧＲＡＭ”、“ＳＣＥＮＥ”の項目に記載がないものである。
【図５】本発明に係るファイル名設定方法の実施形態により、作成されたファイル名一覧の一例を示したものである。
【図６】本発明に係るファイル名設定方法の実施形態により、作成されたファイル名一覧の一例を示したものである。
【図７】従来のファイル名一覧の一例を示したものである。
【発明を実施するための形態】
【００１６】
本発明に係るファイル名設定方法の実施形態について図面を参照しながら説明する。図１は、本発明に係るファイル名設定方法の流れを簡略なフローチャートで示したもので、まず、取材情報が撮像機器に登録されているか否かの検出を行い、登録の検出がされなければ、撮像作業が終了し、登録の検出がされていれば、当該取材情報にＢＩＮファイル情報が含まれているか否かを検出する。ＢＩＮファイル情報が含まれていれば、当該ＢＩＮファイル情報をＢＩＮファイル名として設定し、ＢＩＮファイル情報が含まれていなければ、日付情報をＢＩＮファイル名として設定する。
【００１７】
続いて、取材情報にクリップ情報が含まれているか否かを検出する。クリップ情報が含まれていれば、当該クリップ情報をクリップ名として作成し、クリップ情報が含まれていなければ、取材情報のうち、日付情報を除いた情報を選択し、当該選択した情報をクリップ名として作成する。そして、作成されたクリップ名に基づいて、クリップファイル名が設定され、その後、撮像及び記録を行って、撮像作業が終了する。
【００１８】
続いて、図２及び図３は、本発明に係るファイル名設定方法の実施形態を示したフローチャートである。まず、テレビカメラの撮像機器によって撮像を行う前に、撮像機器に取材情報が登録されているか否かを検出する（Ｓ１）。取材情報の登録の検出は、取材情報の全てをテレビカメラの表示部（液晶表示部）に表示させた状態で、撮像者等により当該取材情報が選択されたか否かで行う。つまり、撮像者等が、テレビカメラの表示部に表示された取材情報を選択（例えば、選択ボタンの押下によって選択する。）することができない場合は、取材情報の登録は、されていないと検出されることになる。
【００１９】
取材情報の登録が検出されないときは、図２及び図３のフローチャートに示す通り、撮像が終了する。ここで、取材情報の登録が検出されたとき（撮像者等が、テレビカメラの表示部に表示された取材情報を選択したとき）は、当該取材情報が、撮像機器のメモリに読み出される（Ｓ２）。続いて、Ｓ２において読み出された取材情報にＢＩＮファイル情報が含まれているか否かを検出する（Ｓ３）。
【００２０】
ここで、ＢＩＮファイル情報（バイナリファイル情報）とは、ディレクトリ情報を示し、これは、ディレクトリツリー構造においてファイル管理を行う際に、当該ファイルを保存しておくディレクトリ（フォルダ）を表す情報である。つまり、データファイルは、設定されたディレクトリの下層に保存されることになる。なお、本発明に係るファイル名設定方法の実施形態において用いる取材情報の一例として示した図４（ａ）においては、“ＢＩＮＮＡＭＥ”である「戸越公園」がＢＩＮファイル情報ということになる。つまり、取材情報の中から“ＢＩＮＮＡＭＥ”をキーとして検索し、取材情報にＢＩＮファイル情報が含まれているか否かを検出する。
【００２１】
Ｓ３において、取材情報にＢＩＮファイル情報が含まれていないことが検出されたとき（“ＢＩＮＮＡＭＥ”が記載されていないとき）は、ＢＩＮファイル情報に代えて取材情報に含まれている日付情報をＢＩＮファイル名（ディレクトリ名）として設定する。図４（ｂ）に一例として示した取材情報においては、“ＤＡＴＥ”である「2009-04-06」がＢＩＮファイル名として設定される。なお、日付情報は、取材情報の必須項目であり、欠落が生じることはないため（欠落がある場合は、取材情報を作成する時点で警告を発するため）、ＢＩＮファイル名を設定できない場合が生じることはない。
【００２２】
また、取材情報にＢＩＮファイル情報が含まれていることが検出されたとき（“ＢＩＮＮＡＭＥ”が設定されていたとき）は、当該ＢＩＮファイル情報が、そのままＢＩＮファイル名として設定される。図４（ａ）に一例として示した取材情報においては、“ＢＩＮＮＡＭＥ”である「戸越公園」が、ＢＩＮファイル名として設定される。
【００２３】
続いて、読み出された取材情報にクリップ情報が含まれているか否かを検出する（Ｓ６〜Ｓ８）。ここで、クリップ情報とは、撮像対象（撮像テーマ）に関する情報を意味し、本実施例においては、図４（ａ）に一例として示した取材情報の、“ＰＲＯＧＲＡＭ”の「桜の季節」と“ＳＣＥＮＥ”の「東京の春」の２つの情報を意味する。つまり、何をテーマとして撮像するものなのかを表す情報である。
【００２４】
まず、取材情報の“ＰＲＯＧＲＡＭ”項目に情報が記載されているか否かを検出する（Ｓ６）。ここで、記載されていることが検出されたときは、撮像機器の一時記憶メモリ等に“ＰＲＯＧＲＡＭ”項目の記載を一旦保存させておき、続いて、取材情報の“ＳＣＥＮＥ”項目に情報が記載されているか否かを検出する（Ｓ７）。“ＳＣＥＮＥ”項目に情報が記載されていることが検出されたときは、一時記憶メモリに保存させておいた、“ＰＲＯＧＲＡＭ”項目の記載と、“ＳＣＥＮＥ”項目の記載とを合わせて、これをクリップ名として作成する（Ｓ９）。ここでは、２つのクリップ情報に基づいてクリップ名が作成されるので、データファイル名がより認識しやすくなる。また、ステップＳ７で、“ＳＣＥＮＥ”項目に情報が記載されていないことが検出されたとき（図４（ｃ）参照）は、一旦保存させておいた、“ＰＲＯＧＲＡＭ”項目の記載のみをクリップ名として作成する（Ｓ１０）。
【００２５】
Ｓ６において、“ＰＲＯＧＲＡＭ”項目に情報が記載されていないことが検出されたとき（図４（ｄ）参照）は、取材情報の“ＳＣＥＮＥ”項目に情報が記載されているか否かを検出する（Ｓ８）。“ＳＣＥＮＥ”項目に情報が記載されていることが検出されたときは、当該“ＳＣＥＮＥ”項目の記載のみをクリップ名として作成する（Ｓ１１）。また、“ＳＣＥＮＥ”項目に情報が記載されていないことが検出されたとき（取材情報にクリップ情報が含まれていないとき）は、取材情報（図４（ｅ）参照）のうち、日付情報を除いた、その他の項目を任意に選択し、当該選択した項目の記載をクリップ名として作成する（Ｓ１２）。
【００２６】
図４（ｅ）に一例として示した取材情報においては、例えば、“ＤＩＲＥＣＴＯＲ”項目の記載「池上太郎」をクリップ名として作成する。なお、任意の項目は、例えば、取材情報のうち、記載されている項目のうちの最上位の項目を選択するようにプログラミングしておいても良いし、各項目に優先度を設定しておき、優先度が高いものから項目の記載の有無を検知し、記載されている項目が検知されたときには、当該検知された項目を選択するようにプログラミングしておいても良い。取材情報は、台本等に基づいて作成するものであることから、全てが欠落するものではないため、クリップ名を作成できない場合は生じない。
【００２７】
続いて、撮像機器のメモリ等に設けられた予め定められた桁数のカウンターを“０００１”にセットし、選択フラグをリセットする（Ｓ１３）。カウンターの数字は、後のステップでクリップファイル名を設定するときに付加するためのものである。つまり、同じ撮像対象（同じクリップ情報）に対して複数回の撮像作業を行ったときには、例えば、図４（ａ）に一例として示した取材情報によると、「桜の季節  東京の春」、「桜の季節  東京の春」・・・と同一のクリップ名が重複して複数作成されてしまうことになるため、これらの重複を避けるために、各撮像作業毎に一意な数字を付加して、識別させるという意味がある（後述するステップＳ１７にて、撮像作業毎に、カウンターの数字をインクリメントさせるようになっている。）。
【００２８】
次に、Ｓ９〜Ｓ１２において作成したクリップ名にカウンターの数字を付加して、クリップファイル名を設定する（Ｓ１４）。このステップによって、「桜の季節  東京の春０００１」、「桜の季節  東京の春０００２」・・・と同じクリップ名であっても、ファイル名を一意に認識でき、記憶媒体に保存できるようになる。そして、ここで撮像者等によって、テレビカメラを用いた撮像及びその撮像データの記録が行われる（Ｓ１５）。
【００２９】
このとき、撮像者等によって、撮像機器に登録された取材情報が、例えば選択ボタン等の押下によって選択されたか否かの検出が行われ、取材情報が選択されたことが検出されたときは、Ｓ１３においてリセットされた選択フラグがセットされることになる（Ｓ１５）。この選択フラグがセットされると、後述するステップＳ１６において、データファイルに取材情報が付加されることになる。なお、当該取材情報を付加するのは、データファイルの編集作業等の効率を良くするためである。
【００３０】
次に、撮像者等によって、撮像作業が終了したか否かを検出する（Ｓ１６）。検出方法は、例えば、撮像停止ボタン等の押下による信号を検知するようにプログラミングすることが可能である。撮像作業が終了していないことが検出されたときは、そのまま撮像作業が継続され、撮像作業が終了したことが検出されたときは、Ｓ１５において選択フラグがセットされている場合には、データファイルに取材情報を付加するとともに、設定されたファイル名にて記録媒体への記録が完了し、次のステップＳ１７へと進むようになっている。また、選択フラグがセットされていない場合には、データファイルに取材情報を付加しないまま、記録媒体への記録を完了させ、次のステップＳ１７へと進むようになっている。
【００３１】
続いて、Ｓ１７では、撮像機器に設けてあるカウンターの数字をインクリメントさせるとともに、選択フラグがセットされていた場合には、選択フラグをリセットする。数字をインクリメントさせるのは、前述の通り、複数回に渡って撮像作業が行われたときに、クリップファイル名を一意に管理できるようにするためのものであり、選択フラグをリセットさせるのは、次回の撮像作業によって記録されるデータファイルへ自動的に取材情報を付加するようなことを避けるためである。
【００３２】
次に、Ｓ１８では、全ての撮像作業が終了したか否かを検出する。これは、撮像対象における撮像が、全て終了したか否かを判断するためのもので、例えば、撮像者等によって、電源オフボタンの押下によって生じる信号を検出するようにプログラミングしておいても良い。撮像作業の終了が検出されたときは、そのまま終了し、電源がオフになる。また、撮像作業の終了が検出されないときは、即ち、撮像作業を継続させるわけであるから、再び、ステップＳ１４に戻ることになる。
【００３３】
ここで、Ｓ１〜Ｓ１８のステップによって設定されるデータファイルのファイル名の一例を図５及び図６に示す。図５に示すデータファイルのファイル名は、ＢＩＮファイル名（ディレクトリ名）が、「戸越公園」で、クリップファイル名が、「桜の季節  東京の春０００１」・・「桜の季節  東京の春０００４」となり、「桜の季節  東京の春０００２」には、取材情報が付加されている（取材情報付き）。なお、「（取材情報付き）」と文字表示しているが、この文字表示は、図中の説明を分かりやすくするためのもので、実際に編集機等でファイル表示したときに文字として表示されるものではない。
【００３４】
図６は、取材情報にＢＩＮファイル情報が含まれていないときに、日付情報をＢＩＮファイル名に設定した場合の、データファイルのファイル名一覧を示している。つまり、ＢＩＮファイル名（ディレクトリ名）が、取材情報に含まれている日付情報、即ち、“ＤＡＴＥ”を基に作成されている。クリップファイル名は、図５と同様に、「桜の季節  東京の春０００１」・・「桜の季節  東京の春０００４」となり、「桜の季節  東京の春０００１」には、取材情報が付加されている（取材情報付き）。なお、図５同様に「（取材情報付き）」の表示は、実際のファイル表示の際に表示されるものではない。
【産業上の利用可能性】
【００３５】
本発明に係るファイル名設定方法は、テレビカメラ等の撮像機器によってニュース等の取材を行うときに極めて好適に用いることができ、さらに、取材後に管理や編集作業を行うときにも非常に有用なものである。
【図１】
2010288002.tif 000003
【図２】
2010288002.tif 000004
【図３】
2010288002.tif 000005
【図４】
2010288002.tif 000006
【図５】
2010288002.tif 000007
【図６】
2010288002.tif 000008
【図７】
2010288002.tif 000009